(57)【特許請求の範囲】
【請求項１】
外壁材の下端部を保護する見切り縁材であって、
上下方向に延びた平板状を有する固定部と、
前記固定部から前方に向かって延びた連結部と、
前記連結部の前端部から上方向に向かって延びた第二前面部と、前記第二前面部の上端部から上方向に延びた第一前面部とを有する前面部と、
前記前面部の裏面から後方に向かって延びた支持部とを備え、
前記支持部は、前記第二前面部と前記第一前面部の連結部分の裏面から後方に向かって延びるように設けられており、
前記支持部の下面と、前記第二前面部の裏面と、前記連結部の上面とにより第一空間が形成され、
前記支持部の上面と前記第一前面部の裏面により、上方が開放した第二空間が形成されており、
前記第一前面部と前記支持部は鋭角をなす
ことを特徴とする見切り縁材。
【請求項２】
前記第一前面部は、前記第二前面部の上端部から後方斜め上方向に延びている
ことを特徴とする請求項１に記載の見切り縁材。
【請求項３】
前記支持部は、前記前面部から離れるほど上方となるよう傾斜している
ことを特徴とする請求項１に記載の見切り縁材。
【請求項４】
前記第二前面部は、前記連結部の前端部から前方斜め上方向に延びている
ことを特徴とする請求項１に記載の見切り縁材。
【請求項５】
構造躯体と、外壁材と、前記外壁材の下端部を保護する見切り縁材とを有する外壁構造であって、
前記見切り縁材は、上下方向に延びた平板状を有する固定部と、前記固定部から前方に向かって延びた連結部と、前記連結部の前端部から上方向に向かって延びた第二前面部及び前記第二前面部の上端部から上方向に延びた第一前面部とを有する前面部と、前記第二前面部と前記第一前面部の連結部分の裏面から後方に向かって延びた支持部とを備え、
前記第一前面部と前記支持部は鋭角をなし、
前記固定部は、前記構造躯体に固定されており、
前記支持部の下面と、前記第二前面部の裏面と、前記連結部の上面とにより第一空間が形成され、
前記支持部の上面と前記第一前面部の裏面により形成された、上方が開放した第二空間に、前記外壁材が配されており、
前記外壁材は、前記支持部に当接している
ことを特徴とする外壁構造。
【発明の詳細な説明】
【技術分野】
【０００１】
本発明は、外壁材の端部に用いる見切り縁材に関する。
【背景技術】
【０００２】
従来より、窯業系サイディングボードや、金属系サイディングボードなどが建築物の外壁を構成する外壁材として用いられている。そして、外壁材の下端部を保護するために、見切り縁材が用いられている。
【０００３】
特許文献１、特許文献２の明細書には、見切り縁材の前面部の端部を折り返して、前記端部を外壁材表面と面接触させる見切り縁材が開示されている。いずれの見切り縁材においても外壁材との間には若干の隙間が生じるため、前記見切り縁材の下端部には水抜き孔が設けられている。
【先行技術文献】
【特許文献】
【０００４】
【特許文献１】実開昭５３−１２９８１６号公報
【特許文献２】特開２００８−１４４３６３号公報
【発明の概要】
【発明が解決しようとする課題】
【０００５】
しかし、外壁材と見切り縁材との間に隙間があると、前記隙間に雪が入り込み、入り込んだ雪は凍結すると膨張して、見切り縁材の端部を変形させ、外観を低下させるという問題があった。
【０００６】
本発明は、かかる従来の課題に鑑みたものであり、雪による前面部端部の変形が生じにくい見切り縁材、及び外壁構造を提供する。
【課題を解決するための手段】
【０００７】
本発明の第一の態様は、外壁材の下端部を保護する見切り縁材である。見切り縁材は、上下方向に延びた平板状を有する固定部と、前記固定部から前方に向かって延びた連結部と、前記連結部の前端部から上方向に向かって延びた前面部と、前記前面部の裏面から後方に向かって延びた支持部とを備える。支持部は、前記前面部の上端と前記連結部の間に設けられており、前記支持部の下面と、前記前面部の裏面と、前記連結部の上面とにより第一空間が形成され、前記支持部の上面と前記前面部の裏面とにより、上方が開放した第二空間が形成されている。
なお、本発明において、上下左右とは、見切り縁材を前面部の表面側から見た場合で記載しており、鉛直上方が上方、鉛直下方が下方である。また、連結部からみて前面部側を前方、固定部側を後方と記載している。
本発明の見切り縁材は、固定部に平板状を有するので、前記平板状を構造躯体に当接させ、釘等を打ち込むことにより、前記構造躯体に固定することが可能である。また、前面部の裏面から後方に向かって延びる支持部を有し、前記支持部の上面には、前記前面部の裏面とにより、上方が開放した第二空間を有するので、外壁材を前記前面部の裏面に配置するとともに、前記支持部の上面と前記外壁材の下端部を当接させ、前記支持部で前記外壁材を支持することが可能である。また、支持部の下面と、前面部の裏面と、連結部の上面とにより第一空間が形成されているので、前記支持部で外壁材を支持した際に、前記支持部には前記外壁材の自重により下方向に力が生じる。前面部は支持部と連結しているので、前記前面部には、前記支持部に生じた力により外壁材側の斜め下方向に引き寄せられることとなり、前記外壁材と前記前面部との隙間は狭くなり、前記前面部の上端部に雪が入り込みにくい。また、外壁材と前面部の間に雪が入り膨張したとしても、前記前面部には斜め下方向に引き寄せる力が生じているので、前記前面部は変形しにくい。
【０００８】
本発明の第二の態様として、上述の特徴に加え、支持部には貫通孔が形成されている。支持部に貫通孔が形成されていることにより、外壁材と前面部との間に侵入した水、雪などは下方に排出されやすくなる。そのため、前面部と外壁材との間に溜まる雪量は低減し、前記前面部に発生する外側に向かう力は低減するので、見切り縁材端部の変形をより防ぐことができる。
【０００９】
本発明の第三の態様は、第一の態様に加え、前面部は、支持部よりも上方裏面に突起を有する。突起を有することで、外壁材を前面部の裏面に配置した際に、前記突起が前記外壁材の表面と前記前面部との隙間を狭くする。それにより、前記前面部と外壁材との間の雪量も減り、見切り縁材端部の変形をより防ぐことができる。なお、突起は、前記前面部の裏面上端部にあることが望ましいが、前記前面部の上端部と前記支持部との間にあっても良い。
【００１０】
本発明の第四の態様は、第一の態様に加え、支持部よりも上方の前面部は、上方に向かうほど後方に傾斜していることを特徴とする。支持部よりも上方の前面部が、上方に向かうほど後方に傾斜していることで、外壁材を前記前面部の裏面に配置した際に、前記前面部の上端部と前記外壁材との隙間を狭くするとともに、前記前面部上端部付近が前記外壁材側から前下方に傾斜することとなる。それにより、前面部の上方の積雪量が減るとともに、前記前面部と外壁材との間の雪量も減り、見切り縁材端部の変形をより防ぐことができる。
【００１１】
本発明の第五の態様は、構造躯体と、外壁材と、前記外壁材の下端部を保護する見切り縁材とを有する外壁構造である。第五の態様では、見切り縁材は、上下方向に延びた平板状を有する固定部と、前記固定部から前方に向かって延びた連結部と、前記連結部の前端部から上方向に向かって延びた前面部と、前記前面部の裏面であって、前記前面部の上端と前記連結部の間から後方に向かって延びた支持部とを備える。固定部は、胴縁、柱、土台、梁などの構造躯体に固定されている。そして、支持部の下面と、前面部の裏面と、連結部の上面とにより第一空間が形成され、前記支持部の上面と前記前面部の裏面とにより、上方が開放された第二空間が形成される。第二空間には外壁材が配されており、前記外壁材は、支持部に当接している。第五の態様においても、固定部に平板状を有するので、前記平板状を構造躯体に当接させ、釘、ビス、螺子等の固定具を打ち込むことにより、見切り縁材を前記構造躯体に固定することが可能である。また、前面部の裏面から後方に向かって延びる支持部を有し、前記支持部の上面には、前記前面部の裏面とにより、上方が開放した第二空間を有するので、外壁材を前記前面部の裏面に配置するとともに、前記支持部と前記外壁材の下端部を当接させ、前記支持部で前記外壁材を支持することが可能である。また、支持部の下面と、前面部の裏面と、連結部の上面とにより第一空間が形成されているので、前記支持部で外壁材を支持した際に、前記支持部には前記外壁材の自重により下方向に力が生じる。前面部は支持部と連結しているので、前記前面部は、支持部に生じた力により、外壁材側の斜め下方向に引き寄せられることとなり、前記外壁材と前記前面部との隙間は狭くなり、前記前面部の上端部に雪が入り込みにくい。また、外壁材と前面部の間に雪が入り膨張したとしても、前記前面部には斜め下方向に引き寄せる力が生じているので、前記前面部は変形しにくい。
【発明の効果】
【００１２】
本発明によれば、雪による前面部端部の変形が生じにくい見切り縁材、及び外壁構造を提供することができる。
【図面の簡単な説明】
【００１３】
【図１】図１は、本発明の第一形態の見切り縁材の斜視図である。
【図２】図２は、図１に示す見切り縁材の側面図である。
【図３】図３は、図１に示す見切り縁材を用いた外壁構造の断面図である。
【図４】図４は、本発明の第二形態の見切り縁材の斜視図である。
【図５】図５は、図４に示す見切り縁材の側面図である。
【図６】図６は、図４に示す見切り縁材を用いた外壁構造の断面図である。
【図７】図７は、本発明の第三形態の見切り縁材の斜視図である。
【図８】図８は、図７に示す見切り縁材の側面図である。
【図９】図９は、図７に示す見切り縁材を用いた外壁構造の断面図である。
【図１０】図１０は、本発明の第四形態の見切り縁材の斜視図である。
【図１１】図１１は、図１０に示す見切り縁材の側面図である。
【図１２】図１２は、図１０に示す見切り縁材を用いた外壁構造の断面図である。
【図１３】図１３は、本発明の第五形態の見切り縁材の斜視図である。
【図１４】図１４は、図１３に示す見切り縁材の側面図である。
【図１５】図１５は、図１３に示す見切り縁材を用いた外壁構造の断面図である。
【図１６】図１６は、本発明の第六形態の見切り縁材の斜視図である。
【図１７】図１７は、図１６に示す見切り縁材の側面図である。
【図１８】図１８は、図１６に示す見切り縁材を用いた外壁構造の断面図である。
【発明を実施するための形態】
【００１４】
以下、図面を参照しながら本発明について詳細に説明する。なお、本発明の見切り縁材は、外壁材の下端部に配置し、前記下端部を保護する部材である。
【００１５】
（実施の第一形態）
図１に本発明の第一形態の見切り縁材１００の斜視図を示すが、見切り縁材１００は、左右に延びた長尺形状である。見切り縁材１００は、金属板（鉄、アルミニウム、銅、ステンレス、チタン、アルミ・亜鉛合金メッキ鋼板、ガルバリウム鋼板、ホーロー鋼板、クラッド鋼板、ラミネート鋼板、サンドイッチ鋼板等）や樹脂（塩化ビニル樹脂等）を押出成形、ロール成形、プレス成形することにより製造することができる。第一形態においては、アルミニウムを押出成形することにより製造されている。見切り縁材１００の側面図を図２に示す。見切り縁材１００は、平板形状で上下方向に垂直延びた固定部１１１と、固定部１１１の下端部から前方に延びた連結部１２１と、連結部１２１の前端部から上方向に垂直に延びた前面部１３１と、前面部１３１の裏面から後方（固定部１１１側）に向かって、固定部１１１に対して垂直に延びた支持部１４１とを有する。固定部１１１は平板形状であり、任意の位置に釘、ビスなどの固定具を打ち込むことが可能である。支持部１４１は、前面部１３１の上端と連結部１２１との間に設けられており、支持部１４１の長さは、固定部１１１に届かない長さである。支持部１４１の下面と、前面部１３１の裏面と、連結部１２１の上面とにより第一空間が形成されるとともに、支持部１４１の上面と、前面部１３１の裏面と、固定部１１１の前面とにより、上方が開放した第二空間が形成されている。そして、連結部１２１には、見切り縁材１００に侵入した水を排出するための貫通孔ｅ１５１が、長手方向に沿って複数形成されている。
なお、見切り縁材１００は前述した通り押出成形により製造されているので、固定部１１１、連結部１２１、前面部１３１、支持部１４１は連続しており、一体である。
【００１６】
次に、見切り縁材１００の構成に基づいた本実施形態の作用を説明する。
図３は、見切り縁材１００を用いた外壁構造の断面図である。見切り縁材１００は、固定部１１１を構造躯体１に当接した状態で、固定部１１１に固定具２を打ち込むことにより固定されている。構造躯体としては、胴縁、柱、土台、梁などが例示されるが、図３においては、構造躯体１は胴縁である。固定具２としては、釘、ビス、螺子などが例示されるが、図３においては、固定具２は釘である。
見切り縁材１００の第二空間には外壁材３が配置されており、外壁材３の下端部は支持部１４１の上面に当接し、支持されている。
【００１７】
図３に示す外壁構造において、支持部１４１の下方は第一空間なので、支持部１４１には外壁材３を支持することにより下方向への力が生じている。図３において、支持部１４１に生じる下方向への力を破線矢印で示している。支持部１４１と前面部１３１は一体に設けられているので、前面部１３１も支持部１４１と同じ方向に引き寄せられることとなる。すなわち、前面部１３１は、外壁材３の自重により、外壁材３側の斜め下方向に引き寄せられることとなる。図３において、前面部１３１に生じる後方斜め下方向への力を破線矢印で示している。そのため、外壁材３と前面部１３１との隙間は狭くなり、前面部１３１の上端部に雪が入り込みにくい。また、外壁材３と前面部１３１の間に雪が入り、膨張し、前面部に前方方向に向かった力が発生したとしても、前面部１３１には斜め下方向に引き寄せる力が生じているので、前面部１３１は前方方向に変形しにくい。
【００１８】
よって、見切り縁材１００は、雪による前面部端部の変形が生じにくい。
【００１９】
（実施の第二形態）
本発明の第二形態の見切り縁材２００の斜視図を図４に示す。見切り縁材２００も左右に延びた長尺形状である。
図５は、見切り縁材２００の側面図である。見切り縁材２００は、前面部と支持部２４１の形状が見切り縁材１００と大きく異なる。
前面部は、連結部２２１の前端部から前方斜め上方向に延びた第二前面部２３２と、第二前面部２３２の上端部から上方向に垂直に延びた第一前面部２３１とからなる。すなわち、第二前面部２３２の形状が見切り縁材１００と異なる。
支持部２４１は、第二前面部２３２と第一前面部２３１の連結部分の裏面から後方（固定部２１１側）に向かって延びているが、前面部から離れるほど上方となるよう傾斜していることが見切り縁材１００と異なる。
支持部２４１と連結部２２１の前後長さも見切り縁材１００とは異なる。
他は概ね見切り縁材１００と同じであり、支持部２４１の下面と、第二前面部２３２の裏面と、連結部２２１の上面とにより第一空間が形成されるとともに、支持部２４１の上面と、第一前面部２３１の裏面と、固定部２１１の前面とにより、上方が開放した第二空間が形成されている。そして、連結部２２１には、見切り縁材２００に侵入した水を排出するための貫通孔ｅ２５１が、長手方向に沿って複数形成されている。見切り縁材２００も、アルミニウムを押出成形することにより製造されており、固定部２１１、連結部２２１、第一前面部２３１、第二前面部２３２、支持部２４１は連続しており、一体である。
【００２０】
図６は、見切り縁材２００を用いた外壁構造の断面図である。図６では、見切り縁材２００の支持部２４１による外壁材３の支持状態が図３とは異なる。図６では、支持部２４１が前面部から離れるほど上方となるよう傾斜しているので、支持部２４１は、上面の上端部が外壁材３の下端部と当接し、外壁材３を支持している。他は概ね図３と同じである。
【００２１】
図６に示す外壁構造においても、支持部２４１の下方は第一空間であり、支持部２４１と第一前面部２３１は一体に設けられているので、第一前面部２３１には後方斜め下方向に引き寄せる力が生じ、第一前面部２３１は前方方向に変形しにくい。図６においても、外壁材３の自重により支持部２４１に生じる下方向への力と、第一前面部２３１に生じる後方斜め下方向への力を破線矢印で示している。
【００２２】
よって、見切り縁材２００は、雪による前面部端部の変形が生じにくい。
【００２３】
（実施の第三形態）
本発明の第三形態の見切り縁材３００の斜視図を図７に示す。見切り縁材３００も左右に延びた長尺形状である。
図８は、見切り縁材３００の側面図である。見切り縁材３００は、前面部３３１に突起３６１を有することと支持部３４１に貫通孔３５２が形成されていることが見切り縁材１００と大きく異なる。
突起３６１は、後方側に突起した形状であり、前面部３３１の上端部裏面に、左右にわたって形成されている。支持部３４１は、長手方向に沿って複数形成された貫通孔３５２を有する。
他は概ね見切り縁材１００と同じであり、支持部３４１の下面と、前面部３３１の裏面と、連結部３２１の上面とにより第一空間が形成されるとともに、支持部３４１の上面と、前面部３３１の裏面と、固定部３１１の前面とにより、上方が開放した第二空間が形成されている。そして、連結部３２１には、見切り縁材３００に侵入した水を排出するための貫通孔ｅ３５１が、長手方向に沿って複数形成されている。見切り縁材３００も、アルミニウムを押出成形することにより製造されており、固定部３１１、連結部３２１、前面部３３１、支持部３４１、突起３６１は連続しており、一体である。
【００２４】
図９は、見切り縁材３００を用いた外壁構造の断面図である。図９では、外壁材３と前面部上端部の隙間が突起３６１により狭いことが図３と異なる。他は概ね図３と同じである。
【００２５】
図９に示す外壁構造においても、支持部３４１の下方は第一空間であり、支持部３４１と前面部３３１は一体に設けられているので、前面部３３１には後方斜め下方向に引き寄せる力が生じ、前面部３３１は前方方向に変形しにくい。図９においても、外壁材３の自重により支持部３４１に生じる下方向への力と、前面部３３１に生じる後方斜め下方向への力を破線矢印で示している。また、見切り縁材３００は、前面部３３１の上端部裏面に突起３６１が形成されているので、外壁材３と前面部上端部の隙間は見切り縁１００よりも狭く、雪は侵入しにくい。更に、見切り縁材３００は、支持部３４１に貫通孔３５２が形成されているので、外壁材３と前面部上端部の隙間から侵入した雨水、雪は、円滑に下方に排出される。そのため、見切り縁材１００よりも前面部端部の変形は生じにくい。
【００２６】
よって、見切り縁材３００は、雪による前面部端部の変形が生じにくい。
【００２７】
（実施の第四形態）
本発明の第四形態の見切り縁材４００の斜視図を図１０に示す。見切り縁材４００も左右に延びた長尺形状である。
図１１は、見切り縁材４００の側面図である。見切り縁材４００は、固定部の形状と、前面部の形状と、支持部４４１に貫通孔４５２が形成されていることが見切り縁材１００と大きく異なる。
固定部は、平板形状で、上下方向に垂直に延びた第一固定部４１１と、第一固定部４１１の下端部から前方斜め下方向に延びている第二固定部４１２とからなる。すなわち、第二固定部４１２の形状が見切り縁材１００と異なる。
前面部は、連結部４２１の前端部から前方斜め上方向に延びた第二前面部４３２と、第二前面部４３２の上端部から後方斜め上方向に延びた第一前面部４３１とからなる。すなわち、第一前面部４３１と第二前面部４３２の形状が見切り縁材１００と異なる。
支持部３４１には、長手方向に沿って貫通孔４５２が複数形成されているが、これは見切り縁材３００と同じである。
他は概ね見切り縁材１００と同じであり、支持部４４１の下面と、第二前面部４３２の裏面と、連結部４２１の上面とにより第一空間が形成されるとともに、支持部４４１の上面と、第一前面部４３１の裏面と、第一固定部４１１の前面により、上方が開放した第二空間が形成されている。そして、連結部４２１には、見切り縁材４００に侵入した水を排出するための貫通孔ｅ４５１が、長手方向に沿って複数形成されている。見切り縁材４００も、アルミニウムを押出成形することにより製造されており、第一固定部４１１、第二固定部４１２、連結部４２１、第一前面部４３１、第二前面部４３２、支持部４４１は連続しており、一体である。
【００２８】
図１２は、見切り縁材４００を用いた外壁構造の断面図である。第一前面部４３１は、第二前面部４３２の上端部から後方斜め上方向に延びているので、図１２では、外壁材３と前面部上端部の隙間は、図１よりも狭い。また、前面部上端部付近は、外壁材３側から前下方に傾斜している。他は概ね図３と同じである。
【００２９】
図１２に示す外壁構造においても、支持部４４１の下方は第一空間であり、支持部４４１と第一前面部４３１は一体に設けられているので、第一前面部４３１には後方斜め下方向に引き寄せる力が生じ、第一前面部４３１は前方方向に変形しにくい。図１２においても、外壁材３の自重により支持部４４１に生じる下方向への力と、第一前面部４３１に生じる後方斜め下方向への力を破線矢印で示している。また、見切り縁材４００は、第一前面部４３１が後方斜め上方向に延びているので、外壁材３と前面部上端部の隙間は見切り縁１００よりも狭く、雪は侵入しにくい。更に、見切り縁材４００は、前面部上端部付近が外壁材３側から前下方に傾斜しているので、前記前面部の上方に雪は積もりにくくなり、前記前面部の上方の積雪量が減る。更に、見切り縁材４００は、支持部４４１に貫通孔３５２が形成されているので、外壁材３と前面部上端部の隙間から侵入した雨水、雪は、円滑に下方に排出される。そのため、見切り縁材１００よりも前面部端部の変形は生じにくい。
【００３０】
よって、見切り縁材４００は、雪による前面部端部の変形が生じにくい。
【００３１】
（実施の第五形態）
本発明の第五形態の見切り縁材５００の斜視図を図１３に示す。見切り縁材５００も左右に延びた長尺形状である。
図１４は、見切り縁材５００の側面図である。見切り縁材５００は、固定部の表面から前方に延びた突出部５７１を有することが見切り縁材４００と異なる。突出部５７１は、第一固定部５１１と第二固定部５１２の連結部分の表面から前方に向かって、支持部５４１と平行に延びており、突出部５７１と支持部５４１の上下高さは同じである。支持部５４１と突出部５７１は対向している。他は概ね見切り縁材４００と同じであり、支持部５４１の下面と、第二前面部５３２の裏面と、連結部５２１の上面とにより第一空間が形成されるとともに、支持部５４１の上面と、第一前面部５３１の裏面と、第一固定部５１１の前面により、上方が開放した第二空間が形成されている。そして、連結部５２１には、見切り縁材５００に侵入した水を排出するための貫通孔ｅ５５１が、長手方向に沿って複数形成されている。見切り縁材５００も、アルミニウムを押出成形することにより製造されており、第一固定部５１１、第二固定部５１２、連結部５２１、第一前面部５３１、第二前面部５３２、支持部５４１、突出部５７１は連続しており、一体である。
【００３２】
図１５は、見切り縁材５００を用いた外壁構造の断面図である。見切り縁材５００の第二空間には外壁材３が配置されており、外壁材３の下端部は支持部５４１の上面と突出部５６１の上面に当接し、支持されていることが図１２と異なる。他は概ね図１２と同じである。
【００３３】
図１５に示す外壁構造においても、図１２と同じく、見切り縁材１００よりも前面部端部の変形は生じにくい。また、図１５においても、外壁材３の自重により支持部５４１に生じる下方向への力と、第一前面部５３１に生じる後方斜め下方向への力を破線矢印で示している。
【００３４】
よって、見切り縁材５００は、雪による前面部端部の変形が生じにくい。
【００３５】
（実施の第六形態）
本発明の第六形態の見切り縁材６００の斜視図を図１６に示す。見切り縁材６００も左右に延びた長尺形状である。
図１７は、見切り縁材６００の側面図である。見切り縁材６００は、固定部の形状が見切り縁材４００と異なる。
固定部は、平板形状で、上下方向に垂直に延びた第一固定部６１１と、第一固定部６１１の上端部から前方斜め下方向に延びている第二固定部６１２とからなる。すなわち、第一固定部６１１は支持部６４１よりも下方にあることが見切り縁材４００と異なる。
他は概ね見切り縁材４００と同じであり、支持部６４１の下面と、第二前面部６３２の裏面と、連結部６２１の上面とにより第一空間が形成されるとともに、支持部６４１の上面と、第一前面部６３１の裏面により、上方が開放した第二空間が形成されている。そして、連結部６２１には、見切り縁材６００に侵入した水を排出するための貫通孔ｅ６５１が、長手方向に沿って複数形成されている。見切り縁材６００も、アルミニウムを押出成形することにより製造されており、第一固定部６１１、第二固定部６１２、連結部６２１、第一前面部６３１、第二前面部６３２、支持部６４１は連続しており、一体である。
【００３６】
図１８は、見切り縁材６００を用いた外壁構造の断面図である。見切り縁材６００では第一固定部６１１が最も下方にあるので、外壁材３は第一固定部６１１よりも上方に配置されていることが図１２と異なる。他は概ね図１２と同じである。
【００３７】
図１８に示す外壁構造においても、図１２と同じく、見切り縁材１００よりも前面部端部の変形は生じにくい。なお、図１８においても、外壁材３の自重により支持部６４１に生じる下方向への力と、第一前面部６３１に生じる後方斜め下方向への力を破線矢印で示している。
【００３８】
よって、見切り縁材６００は、雪による前面部端部の変形が生じにくい。
【００３９】
以上、本発明の実施の形態を詳述してきたが、具体的な構成はこの実施形態に限定されるものではなく、本発明の要旨を逸脱しない範囲における設計変更等があっても、それらは本発明に含まれるものである。
【産業上の利用可能性】
【００４０】
以上説明したように、本発明によれば、雪による前面部端部の変形が生じにくい見切り縁材、及び外壁構造を提供することができる。
【符号の説明】
【００４１】
１００〜６００      見切り縁材
１１１〜６１２      固定部
１２１〜６２１      連結部
１３１〜６３２      前面部
１４１〜６４１      支持部
１５１〜６５２      貫通孔
３６１              突起
１                  構造躯体
２                  固定具
３                  外壁材
【図１】
0006718711.tif 000002
【図２】
0006718711.tif 000003
【図３】
0006718711.tif 000004
【図４】
0006718711.tif 000005
【図５】
0006718711.tif 000006
【図６】
0006718711.tif 000007
【図７】
0006718711.tif 000008
【図８】
0006718711.tif 000009
【図９】
0006718711.tif 000010
【図１０】
0006718711.tif 000011
【図１１】
0006718711.tif 000012
【図１２】
0006718711.tif 000013
【図１３】
0006718711.tif 000014
【図１４】
0006718711.tif 000015
【図１５】
0006718711.tif 000016
【図１６】
0006718711.tif 000017
【図１７】
0006718711.tif 000018
【図１８】
0006718711.tif 000019